(57)【要約】      （修正有）【課題】釣り餌、おとり或いは疑似餌として使用可能な多用途餌及び餌の組み合わせを提供する。【解決手段】本体１０及び第一凹部２０と貫通孔３０を備え、第一凹部２０は本体１０に設置される。貫通孔３０が釣り針９０に引っ掛けられて餌となる。多用途餌１は、多用途餌１を水の中に入れ、多用途餌１を取り出し、その後多用途餌１を粉末に結合させる。第一凹部２０は多用途餌１と水及び粉末の接触する表面積が増加するように設計されているため、多用途餌１を水に入れる時間を短縮させるのみならず、粉末が第一凹部２０中に蓄積されることで、多用途餌１の香りを強めて多用途餌１が食い付かれる確率を高める。【選択図】図２
0003200673.tif 000002
【実用新案登録請求の範囲】
【請求項１】
本体及び第一凹部を備え、前記第一凹部は前記本体に設置されることを特徴とする多用途餌。
【請求項２】
釣り針を貫通させるための貫通孔を備えることを特徴とする、請求項１に記載の多用途餌。
【請求項３】
前記本体は乾燥タイプの餌或いはウェットタイプの餌により製造されることを特徴とする、請求項１ないしは２の何れか１項に記載の多用途餌。
【請求項４】
前記多用途餌は、内容物を納置させるための収納空間を備え、前記内容物はウェットタイプの餌により製造されることを特徴とする、請求項３に記載の多用途餌。
【請求項５】
前記本体に設置される少なくとも１枚の延伸板をさらに備えることを特徴とする、請求項４に記載の多用途餌。
【請求項６】
第二凹部をさらに備え、前記第二凹部は前記本体に設置されると共に前記第一凹部に平行し、且つ前記第一凹部及び前記第二凹部は共に前記本体に巻装されることを特徴とする、請求項３に記載の多用途餌。
【請求項７】
第三凹部をさらに備え、前記第三凹部は前記本体に設置されると共に前記第一凹部及び前記第二凹部に垂直になることを特徴とする、請求項６に記載の多用途餌。
【請求項８】
前記本体を被覆させる被覆層をさらに備えることを特徴とする、請求項３に記載の多用途餌。
【請求項９】
前記多用途餌は内容物を納置させるための収納空間を備え、前記内容物はウェットタイプの餌により製造されることを特徴とする、請求項８に記載の多用途餌。
【請求項１０】
請求項１に記載の少なくとも２つの多用途餌の内の１つが結合されて形成され、請求項１に記載の前記少なくとも２つの多用途餌の内の１つは第一餌により製造され、他の請求項１に記載の多用途餌は第二餌により製造されることを特徴とする餌の組み合わせ。
【考案の詳細な説明】
【技術分野】
【０００１】
本考案は、釣り餌、おとり或いは疑似餌等に使用可能な多用途餌に関する。
【背景技術】
【０００２】
魚釣りに使用される餌の多くは魚、オキアミ或いは虫等から製造される動物性の餌である。
【考案の概要】
【考案が解決しようとする課題】
【０００３】
しかしながら、この種の餌は冷蔵保存される必要があり、適切に冷蔵保存されなければ餌がすぐに変質して異臭を発する。また、この種の餌は、釣り人が先に捏ねて成形した後に釣り針に引っ掛けられる。捏ねて成形する過程において、魚やオキアミの屑が手にくっつき、操作しづらくなるほか、洗い落としづらいため、改善する必要があった。
【０００４】
そこで、本考案者は上記の欠点が改善可能と考え、鋭意検討を重ねた結果、合理的かつ効果的に課題を改善する本考案の提案に到った。
【０００５】
本考案は、このような従来の問題に鑑みてなされたものである。上記課題解決のため、本考案は、釣り餌、おとり或いは疑似餌として使用可能な多用途餌を提供することを主目的とする。
【課題を解決するための手段】
【０００６】
上述した課題を解決し、目的を達成するために、本考案に係る多用途餌は、本体及び第一凹部を備え、前記第一凹部は前記本体に設置されることを特徴とする。
【０００７】
この好ましい実施形態によれば、多用途餌は乾燥タイプの餌或いはウェットタイプの餌により製造される。
【０００８】
この好ましい実施形態によれば、多用途餌は内容物を納置させるための収納空間を備え、前記内容物はウェットタイプの餌により製造される。
【０００９】
また、本考案の他の多用途餌の使用方法は、多用途餌を水に入れる工程、及び多用途餌を取り出して粉末と結合させる工程を含む前述の多用途餌を提供する。
【００１０】
さらに、本考案の他の餌の組み合わせは、少なくとも２つの前述の多用途餌が結合されて形成される。少なくとも２つの前述の多用途餌の内の１つは第一餌により製造され、他の前述の多用途餌は第二餌により製造される。
【図面の簡単な説明】
【００１１】
【図１】本考案の第１実施形態に係る多用途餌の使用方法を示す概念図である。
【図２】本考案の第１実施形態に係る多用途餌を示す概念図である。
【図３】本考案の第２実施形態に係る多用途餌を示す概念図である。
【図４】本考案の第３実施形態に係る多用途餌を示す概念図である。
【図５】本考案の第４実施形態に係る多用途餌を示す概念図である。
【図６】本考案の第４実施形態に係る多用途餌及び８の字リングを結合する前の概念図である。
【図７】本考案の第４実施形態に係る多用途餌及び８の字リングを結合した後の概念図である。
【図８】本考案の第５実施形態に係る多用途餌を示す概念図である。
【図９】本考案の一実施形態に係る餌の組み合わせを示す概念図である。
【図１０】本考案の一実施形態に係る餌の組み合わせを示す概念図である。
【図１１】本考案の第６実施形態に係る多用途餌を示す概念図である。
【図１２】本考案の第７実施形態に係る多用途餌を示す概念図である。
【図１３】本考案の第８実施形態に係る多用途餌を示す概念図である。
【考案を実施するための形態】
【００１２】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１３】
＜第１実施形態＞
第１実施形態によると、本考案に係る多用途餌１は釣り餌として使用される（図１及び図２参照）。多用途餌１は、本体１０と、第一凹部２０と、貫通孔３０とを備える。第一凹部２０は本体１０に巻装して設置され、貫通孔３０が釣り針９０に引っ掛けられて餌となる。本実施形態によれば、多用途餌１の全体は、大麦粉、とうもろこし粉、魚のすり身、米粉、小麦粉等の動物の食用飼料等の乾燥タイプの餌で製造され、本実施形態に係る多用途餌１は乾燥状態を呈し、或いは本実施形態に係る多用途餌１は金属、木材やプラスチックなどの硬いものであってもよい（図１参照）。本考案の実施形態に基づくと、多用途餌１の使用方式は、多用途餌１を水３００の中に入れ、多用途餌１を取り出し、その後多用途餌１を粉末４００に結合させる。第一凹部２０は多用途餌１と水３００及び粉末４００の接触する表面積が増加するように設計されているため、多用途餌１を水３００に入れる時間を短縮させるのみならず、粉末４００が第一凹部２０中に蓄積されることで、多用途餌１の香りを強めて多用途餌１が食い付かれる確率を高める。
【００１４】
この実施形態では、粉末４００はナンキョクオキアミ粉、魚粉、牡蠣、各種のエキス、人工調味料(例えば、醤油、味の素、砂糖、塩)、酵素等で製造され、且つ魚の種類により異なる。また、粉末４００は小パックで多用途餌１と一緒に販売され、使用者は魚の種類毎の食性に合わせて異なる味覚の粉末４００を購入し、餌を付ける前に、先に多用途餌１を水に浸けて取り出した後、粉末４００と結合させ、使用上の利便性を向上させる。
【００１５】
また、多用途餌１のサイズは魚の種類により変更でき、多用途餌１は乾燥タイプの餌で製造される以外、多用途餌１の全体は、小魚、オキアミ、蟹、虫等のウェットタイプの餌で製造される。このほか、多用途餌１の硬度は異なる魚の種類の食性に合わせて変更できる。多用途餌１全体の硬度が柔らかい場合、多用途餌１は真空パックで保存して販売される。また、本考案の多用途餌１は釣り餌とする以外、多用途餌１を圧搾しておとりとしても使用可能である。
【００１６】
図３及び図４を参照し、本考案の多用途餌の第２及び第３実施形態を説明する。
【００１７】
＜第２及び第３実施形態＞
図３に示すように、第２実施形態と第１実施形態との最大の差異は、本考案に係る多用途餌１ａが本体１０により被覆されると共に内容物１００を納置させるための収納空間４０を備え、本体１０が乾燥タイプの餌により製造され、内容物１００がウェットタイプの餌により製造され、本実施形態では、ウェットタイプの餌が小魚、オキアミ、蟹、虫等である点である。図４に示すように、第３実施形態では、本考案の多用途餌１ｂは２枚の延伸板７０を備え、２枚の延伸板７０は本体１０の対向し合う二つの側部にそれぞれ位置され、延伸板７０の設計により、本考案の多用途餌１ｂが水に入れられた後、多用途餌１ｂは水流に自然と浮いて揺られることで、魚の警戒心を解く。注意が必要な点は、延伸板７０の設置数は単数或いは複数であり、本実施形態では制限はない。
【００１８】
図５乃至図７は本考案に係る多用途餌の第４実施形態の概念図及び第４実施形態が８の字リングに結合する前後の概念図である。
【００１９】
＜第４実施形態＞
図５に示すように、第３実施形態では、本考案に係る多用途餌１ｃは第二凹部５０及び第三凹部６０を備える。第二凹部５０は本体１０に設置されると共に第一凹部２０に平行する。図６に示すように、本実施形態によれば、第一凹部２０及び第二凹部５０は共に本体１０に巻装され、第三凹部６０は本体１０に設置され、且つ第一凹部２０及び第二凹部５０に垂直になる。図６に示すように、本実施形態の多用途餌１ｃは８の字リング２００に結合される。８の字リング２００のリング部２１０は第三凹部６０の一端に設置され、８の字リング２００の釣り糸２２０は第三凹部６０に沿って設置されると共に第一凹部２０及び第二凹部５０内に巻回され、８の字リング２００は多用途餌１ｃに固定されて図７に示す状態を形成させる。
【００２０】
＜第５実施形態＞
図８は本考案に係る多用途餌の第５実施形態の概念図である。図８に示すように、この実施形態では、本考案に係る多用途餌１ｄの第二凹部５０は本体１０に設置されると共に第一凹部２０に平行し、これにより、本体１０が３つのサブ本体１１、サブ本体１１ａ、サブ本体１１ｂに分割され、且つ各サブ本体１１、サブ本体１１ａ、サブ本体１１ｂには貫通孔３０、貫通孔３０ａ、貫通孔３０ｂがそれぞれ設けられる。使用者が口の小さい魚を釣る場合、第一凹部２０或いは第二凹部５０に沿ってサブ本体１１、サブ本体１１ａ或いはサブ本体１１ｂを取り外し、サブ本体１１、サブ本体１１ａ或いはサブ本体１１ｂを釣り針に掛ける。注意すべき点は、第一凹部２０或いは第二凹部５０に沿ってサブ本体１１、サブ本体１１ａ、サブ本体１１ｂを取り外すのは本考案の１つの実施態様に過ぎず、事実上、本体１０に別の分割線を設けて使用者にサブ本体１１、サブ本体１１ａ、サブ本体１１ｂを分割させてもよい。
【００２１】
図９及び図１０は本考案に係る餌の組み合わせの実施形態の概念図である。図９及び図１０に示すように、この実施形態では、本考案に係る餌の組み合わせ５００は多用途餌１ｅが多用途餌１ｆと組み合わされて形成される。多用途餌１ｅ及び多用途餌１ｆはそれぞれ異なる餌で製造され、餌は乾燥タイプ或いはウェットタイプである。また、多用途餌１ｅ及び多用途餌１ｆは接合部１１ｅ及び接合部１１ｆによりそれぞれ結合される（図９及び図１０参照）。この実施形態では、接合部１１ｅは凸型点であり、接合部１１ｆは接合部１１ｅに対応する係合溝であるが、但し本考案はこの接合方式に限定されるわけではない。本考案に係る餌の組み合わせ５００は、２つ以上の多用途餌が結合され、且つ製造時に色素を加えることで多用途餌１ｅ及び多用途餌１ｆは異なる色彩を呈し、本考案に係る餌の組み合わせ５００の外観の変化性を高める。
【００２２】
図１１乃至図１３は本考案に係る多用途餌の第６、第７及び第８実施形態の概念図である。図１１に示すように、本考案に係る多用途餌１ｇは被覆層８０をさらに備える。本実施形態では、被覆層８０は粉末層である、粉末はナンキョクオキアミ粉、魚粉、牡蠣、各種の香料、人工調味料(例えば、醤油、味素、砂糖、塩)、酵素等である。被覆層８０の設計により、多用途餌１ｇを水に入れた後、被覆層８０の粉末が徐々に水中で溶解してゆき、これにより、第１実施形態の多用途餌１を水に浸けてから粉を付ける工程を省ける。
【００２３】
図１２に示すように、本考案に係る多用途餌１ｈは本実施形態では疑似餌として使用される。多用途餌１ｈの本体１０ｈの一端はリュック針６００に嵌合され、リュック針６００は頭足類を釣るのに使用されるリュック針である。本考案に係る多用途餌１ｈは食用の本物の餌で製造されるため、従来の疑似餌(例えば、木製のオキアミ)と比較すると、本考案に係る多用途餌１ｈは食い付かれる確率を大幅に高める。なお、図１３に示すように、本考案に係る多用途餌１ｉは本実施形態では釣り餌として使用され、本考案に係る多用途餌１ｉの第二凹部５０及び第一凹部２０は１つの蛍光リング７００にそれぞれ結合され、本考案に係る多用途餌１ｉの誘引性がより高まる。注意すべきは、蛍光リング７００は説明のための例示に過ぎず、事実上使用者は釣り糸を第二凹部５０或いは第一凹部２０に結び、釣り糸の他端を夜光棒に結ぶことで、多用途餌１ｉの誘因性を高める。
【００２４】
本考案に係る多用途餌１、１ａ、１ｂ、１ｃ、１ｄ、１ｅ、１ｆ、１ｇ、１ｈ、１ｉは、釣り餌、おとり或いは疑似餌として使用される。本考案の実施形態によると、多用途餌１が乾燥タイプの餌により製造される場合、保存が容易になるという長所を有する。また、乾燥タイプの餌かウェットタイプの餌で製造されるかに問わず、多用途餌１は共に圧搾されておとりとして使用可能である。さらには、魚の種類毎の食性に合わせて異なる味覚の粉末を加え、多用途餌１が食い付かれる確率を高めることができ、使用上便利になる。このほか、本考案の実施形態では、多用途餌１の内部にウェットタイプの餌により製造される内容物１００を含み、本考案に係る多用途餌１の適用性を高める。
【００２５】
従って、本明細書に開示された実施形態は、本考案を限定するものではなく、説明するためのものであり、このような実施形態によって本考案の思想と範囲が限定されるものではない。本考案の範囲は特許請求の範囲により解釈すべきであり、それと同等の範囲内にある全ての技術は、本考案の権利範囲に含まれるものと解釈すべきである。
【符号の説明】
【００２６】
１、１ａ、１ｂ、１ｃ、１ｄ、１ｅ、１ｆ、１ｇ、１ｈ、１ｉ  多用途餌
１０、１０ｈ  本体
１１、１１ａ、１１ｂ  サブ本体
１１ｅ、１１ｆ  接合部
２０  第一凹部
３０、３０ａ、３０ｂ  貫通孔
４０  収納空間
５０  第二凹部
６０  第三凹部
７０  延伸板
８０ 被覆層
９０  釣り針
１００  内容物
２００  ８の字リング
２１０ リング部
２２０ 釣り糸
３００ 水
４００ 粉末
５００ 餌の組み合わせ
６００ リュック針
７００  蛍光リング
【図１】
0003200673.tif 000003
【図２】
0003200673.tif 000004
【図３】
0003200673.tif 000005
【図４】
0003200673.tif 000006
【図５】
0003200673.tif 000007
【図６】
0003200673.tif 000008
【図７】
0003200673.tif 000009
【図８】
0003200673.tif 000010
【図９】
0003200673.tif 000011
【図１０】
0003200673.tif 000012
【図１１】
0003200673.tif 000013
【図１２】
0003200673.tif 000014
【図１３】
0003200673.tif 000015